(57)【特許請求の範囲】
【請求項１】
エアゾール容器に取付けられたシリンダ内の遅延液体をストッパで係止されるとともにステム押圧方向に常時付勢された遅延ピストンのステム押圧方向への移動により遅延液体流通部により僅かずつ移動させた後、ステムを押圧して噴射させるエアゾール容器の遅延噴射装置において、
前記シリンダの前記遅延ピストン動作前位置に当該遅延ピストンがシール状態で接触して前記遅延液体を密閉し得る環状突部を形成するとともに、当該遅延ピストンのステム押圧方向前方の前記シリンダと当該ピストン外周との隙間を環状の遅延液体流出部としたことを特徴とするエアゾール容器の遅延噴射装置。
【請求項２】
前記請求項１記載の前記シリンダの環状突部と前方の環状の隙間による前記遅延液体流通部に替え、前記シリンダの前記遅延ピストン動作前位置を当該遅延ピストンがシール状態で接触して前記遅延液体を密閉し得る内径とするとともに、当該遅延ピストンのステム押圧方向前方のシリンダ内径を前方ほど大径の円すい面に形成して遅延液体流通部としたことを特徴とする請求項１記載のエアゾール容器の遅延噴射装置。
【請求項３】
前記シリンダの前記遅延液体流通部に、ステム押圧方向に平行な突条を形成して流通部断面積を変更可能としたことを特徴とする請求項１または２記載のエアゾール容器の遅延噴射装置。
【請求項４】
前記エアゾール容器の内容物を殺虫剤、消臭剤、芳香剤、殺菌剤、防虫剤、冷却剤のいずれかとしたことを特徴とする請求項１〜４のずれかに記載のエアゾール容器の遅延噴射装置を備えたエアゾール製品。
【発明の詳細な説明】
【０００１】
【発明の属する技術分野】
この発明はエアゾール容器の遅延噴射装置及びこれを備えたエアゾール製品に関し、噴射操作後一定の時間が経過した後にエアゾール内容物の噴射が行われるようにしたものである。
【０００２】
【従来の技術】
人体への接触や吸入などが好ましくない殺虫剤などをエアゾール内容物とする場合には、噴射操作と同時にエアゾール内容物を噴射させずに、一定の退避時間が経過した後に噴射するようにする必要があり、従来から種々の遅延噴射装置が提案されている。
【０００３】
例えば実開昭５６−８０２５７号に開示されている遅延噴射装置は、エアゾール容器の上部にシリンダを取付け、このシリンダ内にステムを動作させる方向に付勢されたピストンを装着し、ピストンの外周に取付けたＯリングとシリンダ内周との摩擦力を利用してピストンがステムを押すまでの退避時間を得るようにしている。
【０００４】
また、特開昭６２−１９２７５号に開示された遅延噴射装置では、エアゾール容器の上部に固定体を取付け、この固定体内に設けたエアゾール内容物の導入室に制御通路を形成し、制御通路にエアゾール内容物の噴射による圧力で変形したり、破壊する遅延物を取付けておき、この遅延物の変形や破壊によって制御通路が開放されるまでの時間を退避時間とするようにしている。
【０００５】
さらに、特開平１−１７６４６７号に開示された遅延噴射装置では、上下２室に仕切られた密閉状容器に天板及び底板とわずかな隙間をあけて連通するパイプを取付け、この密閉状容器の下室に高粘度液体を充填し、エアゾール内容物を下室の上部から導入するようにし、エアゾール内容物で高粘度液体をパイプを介して上室に移動させた後、上室の噴射口から噴射させることで遅延時間を得るようにしている。
【０００６】
【発明が解決しようとする課題】
このような従来の遅延噴射装置では、Ｏリングによる摩擦力を利用して退避時間を得る場合や遅延物の変形や破壊を利用して退避時間を得る場合には、退避時間にバラツキが起こり易く、一定に保つことが難しいという問題がある。
【０００７】
また、高粘度液体を用いた遅延噴射装置の場合には、退避時間の調整は比較的容易にできるものの、高粘度液体が充填される密閉状容器の下室がパイプ及び噴射口を介して外部に連通しているため、時間の経過とともに、蒸発して少なくなったり、保管状態によっては高粘度液体が下室から移動してしまうという問題がある。
【０００８】
この発明はかかる従来技術の有する課題を解決するためになされたもので、退避時間にバラツキがなく、一定にすることができるとともに、遅延液体が保管中に蒸発したり、移動することがないエアゾール容器の遅延噴射装置及びこれを備えたエアゾール製品を提供しようとするものである。
【０００９】
【課題を解決するための手段】
上記従来技術が有する課題を解決するため、この発明の請求項１記載のエアゾール容器の遅延噴射装置は、エアゾール容器に取付けられたシリンダ内の遅延液体をストッパで係止されるとともにステム押圧方向に常時付勢された遅延ピストンのステム押圧方向への移動により遅延液体流通部により僅かずつ移動させた後、ステムを押圧して噴射させるエアゾール容器の遅延噴射装置において、前記シリンダの前記遅延ピストン動作前位置に当該遅延ピストンがシール状態で接触して前記遅延液体を密閉し得る環状突部を形成するとともに、当該遅延ピストンのステム押圧方向前方の前記シリンダと当該ピストン外周との隙間を環状の遅延液体流出部としたことを特徴とするものである。
【００１０】
このエアゾール容器の遅延噴射装置によれば、遅延液体が入れられるシリンダの遅延ピストンが常時停止している動作前位置にシール状態にする環状突部を形成する一方、動作後には遅延ピストンとシリンダとの間に環状の隙間が形成されるようにしており、保管時には遅延液体を密閉状態にでき、蒸発や移動を防止して退避時間を一定に保つことができるようにしている。
【００１１】
また、この発明の請求項２記載のエアゾール容器の遅延噴射装置は、前記請求項１記載の前記シリンダの環状突部と前方の環状の隙間による前記遅延液体流通部に替え、前記シリンダの前記遅延ピストン動作前位置を当該遅延ピストンがシール状態で接触して前記遅延液体を密閉し得る内径とするとともに、当該遅延ピストンのステム押圧方向前方のシリンダ内径を前方ほど大径の円すい面に形成して遅延液体流通部としたことを特徴とするものである。
【００１２】
このエアゾール容器の遅延噴射装置によれば、遅延液体が入れられるシリンダの遅延ピストンが常時停止している動作前位置の内径をシール状態にできるようにするとともに、動作方向前方の内径を円すい面としてあり、これによっても保管時には遅延液体を密閉状態にでき、蒸発や移動を防止して退避時間を一定に保つことができるようになる。
【００１３】
さらに、この発明の請求項３記載のエアゾール容器の遅延噴射装置は、前記シリンダの前記遅延液体流通部に、ステム押圧方向に平行な突条を形成して流通部断面積を変更可能としたことを特徴とするものである。
【００１４】
このエアゾール容器の遅延噴射装置によれば、遅延ピストンの動作する前方のシリンダとの間に形成される遅延液体流通部に突条を形成するようにしており、突条の大きさや本数によりピストンとシリンダとの間に形成される隙間の断面積を変えることができ、退避時間の調整ができるようになる。
【００１５】
また、この発明の請求項４記載のエアゾール容器の遅延噴射装置を備えたエアゾール製品は、前記エアゾール容器の内容物を殺虫剤、消臭剤、芳香剤、殺菌剤、防虫剤、冷却剤のいずれかとしたことを特徴とするものである。
【００１６】
このエアゾール容器の遅延噴射装置を備えたエアゾール製品によれば、エアゾール容器の内容物を殺虫剤、消臭剤、芳香剤、殺菌剤、防虫剤、冷却剤のいずれかとしており、保管状態にかかわらず、一定の退避時間を確保して噴射することができ、操作者に接触したり、吸入したりすることが防止できるようになる。
【００１７】
【発明の実施の形態】
以下、この発明のエアゾール容器の遅延噴射装置の一実施の形態について図面に基づき詳細に説明する。
【００１８】
図１及び図２はこの発明のエアゾール容器の遅延噴射装置の一実施の形態にかかり、図１は縦断面図、図２は平面図であり、それぞれの左側が噴射状態を、右側が操作前状態を示す。
【００１９】
このエアゾール容器の遅延噴射装置１０は、エアゾール容器１のマウンテンカップ２に装着固定されて使用されるものであり、合成樹脂等で作られた略二重円筒状のシリンダ１１を備え、その下端部の外筒部分に設けた固定部１２を介してエアゾール容器１のマウンテンカップ２に嵌合することで固定される。
【００２０】
このシリンダ１１には、その中央部の内筒底部に貫通孔が形成されてエアゾール容器１のステム３の挿通口１３とされるとともに、固定部１２の上方の外筒底部と内筒底部との間がシリンダ底板１４で塞がれて環状の遅延液体収納室１５が形成されている。
【００２１】
そして、シリンダ１１の遅延液体収納室１５の上部に相当する外筒の内周に環状突部１６が形成されてこの部分の外筒内径が小さくしてある。
【００２２】
このような外筒内周の一部に環状突部１６が形成されたシリンダ１１には、内外筒間の遅延液体収納室１５に遅延ピストン１７が摺動可能に装着される。
【００２３】
この遅延ピストン１７は底面が閉じられ、上面が開口した２重筒状のピストン部１８を備え、このピストン部１８の外筒外径がシリンダ１１の環状突部１６とシール状態で接する大きさとしてあり、遅延ピストン１７が下方に移動すると環状突部１６の突起の高さ分だけシリンダ１１との間に隙間Ｃが形成されるようにしてある。
【００２４】
この遅延ピストン１７には、ピストン部１８の中心部にエアゾール容器１のステム３に押圧されて連結されるノズル部１９が一体に形成され、シリンダ１１の内筒の内側を移動するようになっており、ノズル部１９の先端部に噴射口２０が形成されるとともに、基端部に円すい状の連結口２１が形成されて流路で連通されている。
【００２５】
このような遅延ピストン１７が装着されたシリンダ１１の上部を覆うように略２重筒状のカバー２２が配置されてシリンダ１１の外筒部に連結されるようになっており、カバー２２の上面中央部にノズル部１９が突き出す開口２３が形成されるとともに、内筒内側が遅延ピストン１７のガイド面となるようにしてある。
【００２６】
そして、このカバー２２と遅延ピストン１７との間にスプリング２４が介装されて遅延ピストン１７を常時ステム押圧方向（図示例では下方）に付勢するようになっている。
【００２７】
一方、この遅延ピストン１７をスプリング２４に抗して動作前位置Ａであるシリンダ１１の環状突部１６とシール状態となる位置に保持するため、カバー２２の開口２３から突き出した遅延ピストン１７と一体のノズル部１９に係止溝２５が形成され、この係止溝２５にカバー２２の開口２３より外周側が大きく内周側がくさび状の係止部２６とハンドル部２７が形成されたストッパ２８を嵌め込むことで係止することができるようにしてある。
【００２８】
そして、このような遅延噴射装置１０のシリンダ１１の遅延液体収納室１５内に遅延液体２９が入れられる。この遅延液体２９としては、例えば水やシリコンオイルなどの液体が用いられ、必要な退避時間に応じて粘度が調整された液体が用いられる。また、この遅延液体収納室１５内の遅延液体２９は、エアゾール内容物と直接接触することがないので、エアゾール内容物との反応性などを考慮せずに必要な退避時間に応じて選定することができる。
【００２９】
このように構成したエアゾール容器の遅延噴射装置１０では、保管状態や使用前の状態では、遅延ピストン１７と一体のノズル部１９の係止溝２５にストッパ２８の係止部２６が嵌め込まれて係止され、遅延ピストン１７がスプリング２４に抗してシリンダ１１の環状突部１６とシール状態となる動作前位置Ａに保持される。
【００３０】
したがって、シリンダ１１の遅延液体２９が入れられた遅延液体収納室１５が遅延ピストン１７で密閉された状態となり、遅延液体２９の外部への漏洩や蒸発を防止することができ、エアゾール容器１を倒した状態等で保管されても遅延液体２９が移動することがない。
【００３１】
一方、エアゾール内容物を遅延噴射させる場合には、遅延ピストン１７と一体のノズル部１９の係止溝２５に嵌め込んで係止しているストッパ２８のハンドル部２７をつかんで取り外すと、遅延ピストン１７がスプリング２４の力でステム３の押圧方向（図示例では下方）に押される。
【００３２】
このスプリング２４によって遅延ピストン１７がシリンダ１１の環状突部１６から離れた後、さらにステム押圧方向に移動しようとするが、遅延液体２９によって移動が制約され、遅延ピストン１７の外周のシリンダ１１との隙間Ｃで構成される遅延液体流通部３０からわずかずつゆっくりと遅延液体２９が移動するのに合わせて遅延ピストン１７が移動し、一定時間経過後に遅延ピストン１７と一体のノズル部１９の基端部の連結口２１がステム３に連結され、さらにノズル部１９を介してステム３を押し下げることで、エアゾール内容物の噴射が開始され、ノズル部１９先端部の噴射口２０から噴射される。
【００３３】
したがって、遅延ピストン１７の周囲の隙間Ｃで構成される遅延液体流通部３０の断面積と遅延液体２９の粘度を適当に選ぶことで、ストッパ２８を取り外す噴射操作開始から遅延ピストン１７がステム押圧方向に移動して一体のノズル部１９でステム３を押してエアゾール内容物の噴射が開始されるまでの退避時間を各エアゾール容器でバラツクこと無く一定にすることができるとともに、遅延時間の設定を簡単に変えることができる。
【００３４】
また、遅延ピストン１７の外周を遅延液体流通部３０とするようにしているので、万一、遅延液体２９中にゴミ等が混入していてもこれによって遅延液体２９の流れが全く起こらず、噴射不能となることがない。
【００３５】
次に、この発明のエアゾール容器の遅延噴射装置の他の一実施の形態について図３により説明するが、既に説明したエアゾール容器の遅延噴射装置１０と同一部分には同一番号を記し説明は省略する。
【００３６】
このエアゾール容器の遅延噴射装置４０では、遅延ピストン４１とステム３に連結されるノズル４２とが別体に形成してあり、ノズル４２が予めステム３に装着された状態にしてある。
【００３７】
このノズル４２は先端部の噴射口４３がカバー２２から僅かに突き出る高さとされ、中間部外周に段差部４４が形成され、この段差部４４を遅延ピストン４１で押すようになっている。
【００３８】
一方、遅延ピストン４１は内筒部４５がカバー２２より突き出すように形成されるとともに、内周側にノズル４２の段差部４４を押すことができる突出部４６が形成してあり、内筒部４５の外周側に係止溝４７が形成されてストッパ４８を嵌め込んで係止するようになっている。
【００３９】
このように構成したエアゾール容器の遅延噴射装置４０では、既に説明したエアゾール容器の遅延噴射装置１０と同一の動作で退避時間を経たのち、遅延ピストン４１の突出部４６がノズル４２の段差部４４を押すことでステム３を押し下げてエアゾール内容物が噴射される。
【００４０】
このようなエアゾール容器の遅延噴射装置４０では、既に説明したエアゾール容器の遅延噴射装置１０と同一の効果を奏するほか、遅延噴射装置４０自体の高さを低くしてコンパクトにすることができる。
【００４１】
次に、この発明のエアゾール容器の遅延噴射装置のさらに他の一実施の形態について図４により説明する。
【００４２】
このエアゾール容器の遅延噴射装置５０では、シリンダ５１の形状が変えてあり、環状突部１６の下側のステム押圧方向の遅延液体流通部３０となる部分にステム押圧方向と平行に突条５２が形成され、突条５２の高さが環状突部１６と同一面となるようにしてある。
【００４３】
なお、他の構成は既に説明したエアゾール容器の遅延噴射装置１０，４０と同一である。
【００４４】
したがって、このようなシリンダ５１を備えたエアゾール容器の遅延噴射装置５０によれば、突条５２の分だけ遅延液体の流路断面積を小さくすることができ、遅延液体の移動時間を長くすることができる。
【００４５】
これにより、突条５２の幅や本数を変えることで退避時間を変えることができるとともに、遅延液体の選択範囲を拡大することができる。
【００４６】
また、既に説明したエアゾール容器の遅延噴射装置１０，４０のいずれかの構成を採用することで、それぞれの装置１０，４０の効果も奏する。
【００４７】
次に、この発明のエアゾール容器の遅延噴射装置の他の一実施の形態について図５により説明するが、既に説明したエアゾール容器の遅延噴射装置１０と同一部分には同一番号を記し説明は省略する。
【００４８】
このエアゾール容器の遅延噴射装置６０では、シリンダ６１の形状が変えてあり、遅延ピストン１７がストッパ２８で係止された動作前位置Ａに対応する部分のシリンダ６１の内径部６２を遅延ピストン１７とシール状態で接する内径（環状突部１６の内径と同一）としてあり、このシール状態で接する内径部６２に続くシリンダ６１の下側のステム押圧方向の遅延液体流通部３０となるシリンダ下方部６３を下側ほど大径となる円すい面に形成してある。
【００４９】
なお、他の構成は既に説明したエアゾール容器の遅延噴射装置１０と同一である。
【００５０】
したがって、このようなシリンダ６１を備えたエアゾール容器の遅延噴射装置６０によれば、噴射前や保管状態では、遅延ピストン１７がシリンダ６１の内径部６２とシール状態で接して遅延液体収納部１５が密閉状態になる一方、遅延ピストン１７がステム押圧方向に移動すると、遅延ピストン１７とシリンダ６１のシリンダ下方部６３との間に隙間が形成されて遅延液体流通部３０となり、遅延液体２９をゆっくり移動して退避時間を作ることができる。
【００５１】
このようなエアゾール容器の遅延噴射装置６０では、既に説明したエアゾール容器の遅延噴射装置１０と同一の効果を奏するほか、遅延液体流通部３０が遅延ピストン１７の移動にともなって広くなるので、万一の遅延液体へのゴミなどの混入があっても挾まることがなく、噴射不能となることを一層確実に防止することができる。
【００５２】
また、この円すい面として遅延液体流通部３０を形成するようにしたシリンダ６１の構造は、既に説明したエアゾール容器の遅延噴射装置４０のシリンダ１１に替えて用いることができ、高さを低くしてコンパクトにすることができる。
【００５３】
次に、この発明のエアゾール容器の遅延噴射装置のさらに他の一実施の形態について図６により説明する。
【００５４】
このエアゾール容器の遅延噴射装置７０では、シリンダ７１の形状が変えてあり、シール状態で接する内径部７２に続くシリンダ７１の下側のステム押圧方向の遅延液体流通部３０となる円すい面で形成されたシリンダ下方部７３にステム押圧方向と平行に突条７４が形成され、突条７４の高さがシール状態で接する内径部と同一面とされて円筒面の一部をなすようにしてある。
【００５５】
なお、他の構成は既に説明したエアゾール容器の遅延噴射装置６０と同一である。
【００５６】
したがって、このようなシリンダ７１を備えたエアゾール容器の遅延噴射装置７０によれば、突条７４の分だけ遅延液体の流路断面積を小さくすることができ、遅延液体の移動時間を長くすることができる。
【００５７】
これにより、突条７４の幅や本数を変えることで退避時間を変えることができるとともに、遅延液体の選択範囲を拡大することができる。
【００５８】
また、このシリンダ７１を既に説明したエアゾール容器の遅延噴射装置４０のノズル４２を別体にする場合のシリンダ１１として用いることもできる。
【００５９】
次に、これまでに説明したエアゾール容器の遅延噴射装置１０，４０，５０，６０，７０を用いたエアゾール製品について説明する。
【００６０】
既に説明した遅延噴射装置１０，４０，５０，６０，７０のエアゾール容器に充填される内容物としては、操作者が接触したり、吸入することが好ましくないもの、例えば殺虫剤、消臭剤、芳香剤、殺菌剤、防虫剤、冷却剤のいずれかが充填されてエアゾール製品とされる。
【００６１】
また、内容物によっては金属製のエアゾール容器に直接充填すると、エアゾール容器自体を腐蝕するなどの恐れがある場合には、樹脂バックなどで二重構造とされたエアゾール容器が用いられ、特に腐蝕性の強い内容物の場合には、エアゾール容器のバルブが取付けられるマウンテンカップ部分にも合成樹脂カバーを取付けて直接内容物が金属と接触しないようにしたエアゾール容器を使用するようにする。
【００６２】
このような内容物を充填したエアゾール製品では、遅延噴射装置のストッパを取り外して噴射操作することで、簡単に遅延噴射することができ、保管状態などに拘らず、予め設定した退避時間の後に噴射させることができる。
【００６３】
【実施例】
次に、この発明のエアゾール製品の内容物の成分を示す。
殺虫剤としては、例えば空間用殺虫剤やゴキブリ用殺虫剤が内容物と充填されてエアゾール製品とされ、それぞれの成分の一例は表１に示す通りである。
【００６４】
また、消臭剤としては、例えば表１に示す成分が充填されてエアゾール製品とされる。
【００６５】
【表１】
0003859283.tif 000002
【００６６】
さらに、芳香剤を内容物とするエアゾール製品の成分の一例は、表２に示す通りであり、殺菌剤を内容物とするエアゾール製品としては、例えば表面殺菌剤や空間殺菌剤があり、それぞれの成分の一例は、表２に示す通りである。
【００６７】
【表２】
0003859283.tif 000003
【００６８】
また、防虫剤とする場合には、例えば表３に示す成分が充填されてエアゾール製品とされ、冷却剤とする場合には、例えば表３に示す成分が充填されて自動車用の冷却剤のエアゾール製品とされる。
【００６９】
【表３】
0003859283.tif 000004
【００７０】
このような各エアゾール製品では、十分な退避時間を確保して噴射が開始されたので、操作者が接触したり、吸引することがなかった。
【００７１】
【発明の効果】
以上実施の形態とともに具体的に説明したように、この発明の請求項１記載のエアゾール容器の遅延噴射装置によれば、遅延液体が入れられるシリンダの遅延ピストンが常時停止している動作前位置にシール状態にする環状突部を形成する一方、動作後には遅延ピストンとシリンダとの間に環状の隙間が形成されるようにしたので、保管時には遅延液体を密閉状態にでき、蒸発や移動を防止することができるとともに、使用時には遅延液体の移動時間を一定にでき、退避時間のバラツキを無くして一定に保つことができる。
【００７２】
また、この発明の請求項２記載のエアゾール容器の遅延噴射装置によれば、遅延液体が入れられるシリンダの遅延ピストンが常時停止している動作前位置の内径をシール状態にできるようにするとともに、動作方向前方の内径を円すい面としたので、これによっても保管時には遅延液体を密閉状態にでき、蒸発や移動を防止して退避時間を一定に保つことができる。
【００７３】
さらに、この発明の請求項３記載のエアゾール容器の遅延噴射装置によれば、遅延ピストンの動作する前方のシリンダとの間に形成される遅延液体流通部に遅延ピストンが摺接する突条を形成するようにしたので、突条の大きさや本数によりピストンとシリンダとの間に形成される隙間の断面積を変えることができ、退避時間の設定が簡単にできる。
【００７４】
また、この発明の請求項４記載のエアゾール容器の遅延噴射装置を備えたエアゾール製品によれば、エアゾール容器の内容物を殺虫剤、消臭剤、芳香剤、殺菌剤、防虫剤、冷却剤のいずれかとしたので、保管状態にかかわらず、一定の退避時間を確保して噴射することができ、操作者に接触したり、吸入したりすることを防止することができる。
【図面の簡単な説明】
【図１】この発明のエアゾール容器の遅延噴射装置の一実施の形態にかかる縦断面図であり、左側が噴射状態を、右側が操作前状態を示す。
【図２】この発明のエアゾール容器の遅延噴射装置の一実施の形態にかかる平面図であり、左側が噴射状態を、右側が操作前状態を示す。
【図３】この発明のエアゾール容器の遅延噴射装置の他の一実施の形態にかかる縦断面図であり、左側が噴射状態を、右側が操作前状態を示す。
【図４】この発明のエアゾール容器の遅延噴射装置のさらに他の一実施の形態にかかるシリンダの一部のみを示す斜視図である。
【図５】この発明のエアゾール容器の遅延噴射装置の他の一実施の形態にかかる縦断面図であり、左側が噴射状態を、右側が操作前状態を示す。
【図６】この発明のエアゾール容器の遅延噴射装置のさらに他の一実施の形態にかかるシリンダの一部のみを示す斜視図である。
【符号の説明】
１０，４０，５０，６０，７０  エアゾール容器の遅延噴射装置
１１  シリンダ
１２  固定部
１５  遅延液体収納室
１６  環状突部
１７  遅延ピストン
１９  ノズル部
２２  カバー
２４  スプリング
２５  係止溝、
２８  ストッパ
２９  遅延液体
３０  遅延液体流通部
Ａ  動作前位置
Ｃ  隙間
１  エアゾール容器
３  ステム
【図１】
0003859283.tif 000005
【図２】
0003859283.tif 000006
【図３】
0003859283.tif 000007
【図４】
0003859283.tif 000008
【図５】
0003859283.tif 000009
【図６】
0003859283.tif 000010